(57)【特許請求の範囲】
【請求項１】
複数の固形状の服用物を封入する単一の収容空間を形成する包装材を有し、
前記包装材が、内部に収容する前記服用物を外部から視認可能に構成されている服用物包装体であって、
前記単一の収容空間を複数の収容室に仕切る仕切部を備え、
前記複数の収容室の夫々には、単一種別の服用物が収容され、
前記仕切部は、前記収容空間が大気圧よりも低い圧力に維持された状態で、隣接する前記服用物同士の間において前記包装材同士が接する部分によって形成され、
前記仕切部は、前記複数の収容室の間の服用物の移動を規制する規制状態から、前記複数の収容室の間を服用物が移動できる規制解除状態に切換え自在に構成されている服用物包装体。
【請求項２】
前記仕切部は、前記収容空間内に複数設けられ、
前記包装材が開封されることにより、複数の前記仕切部の全てが前記規制解除状態となるように構成されている請求項１に記載の服用物包装体。
【請求項３】
前記複数の収容室が、直線状に並んでいる請求項１又は２に記載の服用物包装体。
【請求項４】
前記単一の収容空間が、当該収容空間に収容する前記服用物の位置を固定する固定部を備えている請求項１〜３の何れか１項に記載の服用物包装体。
【請求項５】
前記複数の収容室の夫々が、前記服用物を１個ずつ収容するように構成されている請求項１〜４の何れか１項に記載の服用物包装体。
【請求項６】
前記包装材は変形可能に構成され、
前記固定部が、変形している前記包装材における前記服用物に当接する部分によって構成される請求項４に記載の服用物包装体。
【請求項７】
前記包装材は、前記収容空間の内圧を大気圧よりも低い圧力に維持して当該包装材が封止されることにより前記規制状態となり、前記包装材が開封されることにより規制解除状態となるように構成されている請求項１〜６の何れか１項に記載の服用物包装体。
【請求項８】
前記包装材は筒状に形成されている請求項１〜７の何れか１項に記載の服用物包装体。
【発明の詳細な説明】
【技術分野】
【０００１】
本発明は、複数の固形状の服用物を封入する単一の収容空間を形成する包装材を有し、前記包装材が、内部に収容する前記服用物を外部から視認可能に構成されている服用物包装体に関する。
【背景技術】
【０００２】
製薬会社で製造された錠剤やカプセル剤等の服用物は、変質や服用物同士の接触による摩耗等を防止するために、複数の単位数量の服用物をまとめて保持する包装体（例えば、図１６に示すようなＰＴＰ（Press Through Package）やヒートシールと呼ばれる包装体。以降、個別包装体と称する。）に、１個ずつ個別の収納室に収容されて出荷される。
そして、例えば患者に複数日分の服用物をまとめて処方する場合等には、服用物を収容した個別包装体ごと服用者に渡されることが多い。
【０００３】
しかしながら、このような場合、１回の服用タイミングに服用するべき服用物が複数個存在すれば、服用者は、それら複数個の服用物を１個ずつ個別包装体から取り出さなければならず、患者にとっては毎回の服用タイミングにおける服用物の取り出しが煩雑なものとなったり、服用すべき服用物の種別や個数を間違えたりするなどの問題が発生し得る。
【０００４】
そこで、特許第４０９３４３７号公報（特許文献１）に示すように、処方箋に基づいて、１回の服用タイミングで服用すべき服用物Ｔ（図１７においてＴ１１〜Ｔ１４で表す錠剤やカプセル剤）を、図１７に示すような単一の収容空間ＳＪを有する袋状の服用物包装体ＰＪに収容すること（以下、一包化と称する）が行われている。図１７では、夫々の収容空間ＳＪに封入されている服用物Ｔが１回の服用タイミングに服用すべき服用物Ｔに対応している。
【０００５】
服用者は、単一の袋状の服用物包装体ＰＪを開封すれば、１回の服用タイミングで服用すべき複数の服用物Ｔが取り出せるので、服用物Ｔの取出しが簡易に行えるとともに、取り揃えるべき服用物Ｔの種別や個数を間違える事態を抑制できる。なお、従来の袋状の服用物包装体ＰＪは、内部に収容する服用物Ｔを外部から視認可能なプラスチック等の包装材１２０で構成され、当該服用物包装体ＰＪに服用物Ｔを収容した後に、薬剤師が当該服用物包装体ＰＪの内部に収容された服用物Ｔの種別と個数とが処方箋にて指定されたものと合致しているか否かを確認することになる。
【先行技術文献】
【特許文献】
【０００６】
【特許文献１】特許第４０９３４３７号公報
【発明の概要】
【発明が解決しようとする課題】
【０００７】
一方、特許文献１に記載されているような袋状の服用物包装体ＰＪは、収容空間ＳＪにおいて複数の服用物Ｔ同士が重なり合う等して、複数の服用物Ｔの種別がその服用物包装体ＰＪの外部から確認し難いという問題がある。
【０００８】
そこで、１回の服用タイミングで服用すべき服用物を取り出す手間を軽減でき、しかも、複数の服用物の種別を外部から確認し易い服用物包装体が望まれる。
【課題を解決するための手段】
【０００９】
上記課題を解決するための本出願に係る服用物包装体は、複数の固形状の服用物を封入する単一の収容空間を形成する包装材を有し、前記包装材が、内部に収容する前記服用物を外部から視認可能に構成されている服用物包装体であって、
前記単一の収容空間を複数の収容室に仕切る仕切部を備え、前記複数の収容室の夫々には、単一種別の服用物が収容され、前記仕切部は、前記収容空間が大気圧よりも低い圧力に維持された状態で、隣接する前記服用物同士の間において前記包装材同士が接する部分によって形成され、前記仕切部は、前記複数の収容室の間の服用物の移動を規制する規制状態から、前記複数の収容室の間を服用物が移動できる規制解除状態に切換え自在に構成されている点を特徴とする。
【００１０】
すなわち、複数の収容室の夫々には、単一の種別の服用物が収容され、規制状態においては複数の収容室の間の服用物の移動が規制されるので、異なる種別の服用物同士が収容空間内で重なり合う等して外部から服用物の種別が確認し難くなる事態を抑制することができる。
また、服用物を服用物包装体から取り出す場合には、規制状態から規制解除状態に切換えることによって、複数の収納室の間の服用物の移動が可能になるため、服用物を１つずつ個別包装体から取り出すという煩雑な作業を行わずに、１回の服用タイミングで服用すべき服用物をまとめて取り出すことができる。
【００１１】
このように、１回の服用タイミングで服用すべき服用物を取り出す手間を軽減でき、しかも、服用物の種別を外部からも確認し易い服用物包装体を提供できる。
【００１２】
本発明に係る服用物包装体においては、前記仕切部は、前記収容空間内に複数設けられ、前記包装材が開封されることにより、複数の前記仕切部の全てが前記規制解除状態となるように構成されていることが好ましい。
また、本発明に係る服用物包装体においては、前記複数の収容室が、直線状に並んでいることが好ましい。
【００１３】
すなわち、収容室が直線状に並んでおり、かつ、各収容室には単一の種別の服用物が収容されているから、規制状態においては、複数の種別の服用物が種別ごとに直線状の収容室の並びに沿って纏まって位置することになり、服用物の種別を外部から確認する作業を行い易い。
また、さらに好ましくは、収容室の並び方向に直交する面による収容空間の断面形状を服用物の大きさに対応させておくことで、規制解除状態に切換えた後でも、異なる種別の服用物の並び順が極力維持される。このため、当該複数の収容室に収容されていた複数の服用物が、服用物包装体における開封箇所から、当該開封箇所に位置に近い収容室に収容されていた順に取り出し易くなる。したがって、例えば服用者が服用物包装体における開封箇所から服用物を直接服用する場合においても、服用物包装体に封入されていた順に出てくることとなり、服用者の意に反する種別の服用物が開封箇所から出てくるような事態が生じ難くなる。また、服用物包装体の開封箇所からは、直線状の収容空間に収容されていた並びに従って順次又は連続的に服用物が出てくるため、例えば、服用者が服用物包装体に収容されている服用物のうちで服用する服用物の種別や数量を調整したい場合においても、その調整を行い易いものとなる。
【００１４】
本発明に係る服用物包装体においては、前記単一の収容空間が、当該収容空間に収容する前記服用物の位置を固定する固定部を備えていることが好ましい。
【００１５】
すなわち、収容空間に収容する服用物の位置が固定部によって固定されるため、服用物の種別や個数を外部から確認するにしても、個々の服用物の位置を特定し易く、効率よく確認作業を行える。
また、他の服用物と接触することによって変質したり崩壊したりし易い服用物が存在する場合、収容空間に収容する服用物の位置を固定することによって服用物同士の相対位置が固定されるため、例えば、複数の服用物を同一の収容室に収容する場合においても服用物同士が収容空間内においてぶつかったり擦れたりする事態を抑制でき、服用物の変質や崩壊を抑制することができる。
【００１６】
本発明に係る服用物包装体においては、前記複数の収容室の夫々が、前記服用物を１個ずつ収容するように構成されていることが好ましい。
【００１７】
すなわち、複数の収容室の夫々に対して服用物が１個ずつ収容されるので、規制状態においては、服用物同士が接触して服用物が削れたり欠けたりする事態が生じ難くなる。
また、服用物によっては、他の服用物と接触することによって変質したり崩壊したりし易いものが存在し得る。このような服用物について、図１７に示すような従来の一包化を行うと、服用物同士が接触する虞があり好ましくない。本特徴構成によれば、複数の収容室の夫々に対して服用物が１個ずつ収容されるため、服用物同士が接触することを抑制でき、服用物の変質や崩壊を抑制することができる。
【００１８】
本発明に係る服用物包装体においては、前記包装材は変形可能に構成され、前記固定部が、変形している前記包装材における前記服用物に当接する部分によって構成されることが好ましい。
【００１９】
すなわち、服用物を服用物包装体に投入した状態で包装材を変形させるという簡単な処理により、服用物に包装材を当接させて、服用物が収容空間において移動することを抑制することができる。
【００２０】
本発明に係る服用物包装体においては、前記包装材は、前記収容空間の内圧を大気圧よりも低い圧力に維持して当該包装材が封止されることにより前記規制状態となり、前記包装材が開封されることにより規制解除状態となるように構成されていることが好ましい。
【００２１】
すなわち、包装材に服用物を未封状態で収容したのちに、その包装材から空気を除去する等して収納空間の内圧を大気圧よりも低い圧力にすることにより、包装材が服用物に接触する状態とすることができる。
そして、その状態で包装材を封止すれば、収容空間の内圧が大気圧よりも低い状態が維持され、これにより包装材が服用物に接触する状態を維持することができる。
また、封止された包装材を開封することで、外部と連通下部分から空気が流入して収容空間の内圧が大気圧と等しくなり、規制解除状態となる。これにより、服用物の移動の規制が解除され、服用物が収容空間において移動可能となる。
しかも、包装材の内部から空気を除去するようにすれば、服用物が空気中の水蒸気等の含有成分に接触して変質するのを極力避けることができる。
このように、本特徴構成によれば、簡易な操作で規制状態と規制解除状態とに切換え可能で、かつ、収容した服用物の変質を極力抑制可能な服用物包装体を提供できる。
【００２２】
本発明に係る服用物包装体においては、前記包装材は筒状に形成されていることが好ましい。
【００２３】
すなわち、服用物を服用物包装体に収容する場合には、筒状の包装材の筒軸心方向の端部に形成されている開口から服用物を投入して、投入後に筒状の包装材を封止するという簡易な操作で服用物を服用物包装体に封入することができる。
【図面の簡単な説明】
【００２４】
【図１】第１実施形態における服用物を封入した服用物包装体を示す斜視図
【図２】第１実施形態における服用物を封入した服用物包装体を示す断面図
【図３】服用物を封入した服用物包装体を開封した状態を示す斜視図
【図４】服用物を封入した服用物包装体を開封した状態を示す断面図
【図５】服用物を包装材に投入する作業を示す図
【図６】服用物の包装材への投入、真空引き、及び包装材の封止作業を示す図
【図７】第２実施形態における服用物を封入した服用物包装体を示す斜視図
【図８】第２実施形態における服用物を封入した服用物包装体を示す断面図
【図９】第３実施形態における服用物を封入した服用物包装体を示す斜視図
【図１０】第４実施形態における服用物を包装材に投入する作業を示す斜視図
【図１１】第４実施形態における服用物を包装材に封入する作業を示す図
【図１２】第５実施形態における服用物を包装材に封入する作業を示す斜視図
【図１３】第５実施形態における服用物包装体を示す平面図
【図１４】服用物包装体における情報を印字する部分を示す図
【図１５】服用物包装体における情報を印字する部分の別形態を示す図
【図１６】個別包装体を示す図
【図１７】従来の服用物包装体を示す図
【発明を実施するための形態】
【００２５】
〔第１実施形態〕
以下、図面に基づいて、本発明の服用物包装体の第１実施形態を説明する。
本実施形態における服用物包装体は、処方箋により指定された複数の固形状の薬剤（錠剤やカプセル剤等）の複数を患者等の服用者に提供する際に、１回の服用タイミングに服用すべき薬剤を１つの服用物包装体にまとめて封入することで、服用者がそれら複数の服用物を１個ずつ図１６に示すような個別包装体Ｂから取り出すという不便を低減するとともに、服用者が、１回の服用タイミングに服用すべき薬剤として、処方箋にて指定された薬剤の種別や個数を間違えて取りそろえてしまうという事態を抑制するために用いられる。なお、本実施形態では、上記固形状の薬剤が服用物Ｔに相当するが、薬剤ではない固形状の食品（健康食品のタブレット等）を服用物Ｔとしてもよい。
【００２６】
図１及び図２に示すように、服用物包装体Ｐには、複数の服用物Ｔがまとめて封入される。包装材１０は筒状に形成され（図３〜図５を参照）、筒状の内部の収容空間Ｓ（図３及び図４を参照）に複数の服用物Ｔが封入されるようになっている。包装材１０は、変形可能であり、かつ、内部に収容する服用物Ｔを外部から視認可能とすべく、透明又は半透明なプラスチック等の樹脂にて形成されている。複数の服用物Ｔとして、図１では、第１の種別の薬剤としての錠剤Ｔ１と、第２の種別の薬剤としての錠剤Ｔ２と、第３の種別の薬剤としてのカプセル剤Ｔ３とを服用物包装体Ｐに封入する例を示している。なお、封入される服用物の種別は、図１に示す３種類に限定されるものではなく、１種類、２種類、又は４種類以上であってもよく、また、夫々の種別の服用物Ｔの個数も図１の例に限らず任意である。
【００２７】
また、本実施形態において、服用物包装体Ｐの内部には、複数の服用物Ｔが同一の包装材１０の内部に長手方向に直線状に一列に並ぶ形態で互いに離間して封入され、包装材１０の内部の収容空間Ｓの空気は服用物Ｔの投入後排出された状態となっている。また、筒状の包装材１０の両端部には、収容空間Ｓの空気が排出された状態において加熱融着又は接着剤によって接着された接着部ＰＨが形成されている。なお、本実施形態において、収容空間Ｓの空気は完全に排出されていなくてもよい。つまり、包装材１０内部の収容空間Ｓの内圧を大気圧よりも低い圧力に維持して当該包装材１０を封止することにより、筒状の包装材１０が収容する服用物Ｔの外面の略前部に亘って当接する状態となっている。これにより、包装材１０の内部に収容された服用物Ｔが包装材１０に対して移動する事態が抑制されている。なお、本実施形態において直線状という場合、同一直線上にずれることなく並ぶ状態のみを示すのではなく、包装材１０の長手方向と直交する方向視で重複しなければ、同一直線上からずれている状態も許容される。
【００２８】
本実施形態において、包装材１０において個々の服用物Ｔが位置する空間が収容室Ｃに相当し、隣接する服用物Ｔ同士の間にて包装材１０同士（図２における部分ＰＳ１と部分ＰＳ２）が接する部分ＰＳが仕切部に相当する。すなわち、包装材は、収容空間Ｓの内圧を大気圧よりも低い圧力に維持して当該包装材１０を封止することにより、複数の収容室Ｃの間の服用物Ｔの移動を規制する規制状態となるように構成されている。
また、本実施形態においては、変形している包装材１０において服用物Ｔと包装材１０とが当接する部分が固定部に相当する。つまり、単一の収容空間Ｓが、収容空間Ｓに収容する服用物Ｔの位置を固定する固定部を備えている。
【００２９】
すなわち、服用物包装体Ｐは、複数の固形状の服用物Ｔを封入する単一の収容空間Ｓを形成する包装材１０を有し、包装材１０が、内部に収容する服用物Ｔを外部から視認可能に構成され、単一の収容空間Ｓを複数の収容室Ｃに仕切る仕切部（包装材１０における部分ＰＳ）を備えている。また、複数の収容室Ｃの夫々には、服用物Ｔが１個ずつ収容されるため、夫々の収容室Ｃには単一種別の服用物Ｔが収容されることになる。さらに、本実施形態においては、複数の収容室Ｃが直線状に並んでいる。
【００３０】
服用者は、服用物包装体Ｐから服用物Ｔを取り出す場合には、図３に示すように、接着部ＰＨを切除する。包装材１０は弾性を有する素材で形成されており、包装材１０の復元力によって図３及び図４に示す開口ＰＫから包装材１０の収容空間Ｓの内部に空気が流入する。これにより、図３及び図４に示すように、包装材１０において互いに接していた部分ＰＳ１と部分ＰＳ２（図２参照）とが互いに離間し、夫々の服用物Ｔは規制状態において当該服用物Ｔが存在していた収容室Ｃの間を自由に移動できる状態となる。すなわち、包装材１０を開封することにより、複数の収容室Ｃの間を服用物Ｔが移動できる規制解除状態となる。つまり、仕切部（包装材１０における部分ＰＳ）は、複数の収容室Ｃの間の服用物Ｔの移動を規制する規制状態と、複数の収容室Ｃの間を服用物Ｔが移動できる規制解除状態と、に切換え自在に構成されている。
【００３１】
次に、上記の服用物包装体Ｐに服用物Ｔを封入する方法について説明する。
服用物Ｔを服用物包装体Ｐに封入する作業を行う薬剤師等（以下、作業者と称する）は、図１６に示すような個別包装体Ｂから取り出した服用物Ｔを、図５に示す投入補助具２０に支持させる。投入補助具２０には、第１面形成部２１と、第１面形成部２１から互いに１８０度以下の角度（好ましくは９０度〜１２０度の角度）をなすように連続する第２面形成部２２とによって溝部２０Ｍが形成されており、服用物Ｔは溝部２０Ｍに直線状に並べられる。このとき、作業者は、単一種別又は複数種別であって夫々の種別について単一又は複数個の服用物Ｔを、処方箋にて指定された順序及び個数通りに並べることになる。処方箋には、薬剤の種別とその種別についての個数とを１組として記載されるので、投入補助具２０の溝部２０Ｍには、同じ種別の服用物Ｔ同士は隣接する形態で、服用物Ｔが並ぶことになる。
【００３２】
筒状の包装材１０は、服用物Ｔの投入に先立って、長手方向の一端に接着部ＰＨが形成されて有底筒状となるように処理されている。また、服用物包装体Ｐに服用物Ｔを互いに離間した状態で封入し、且つ、収容空間Ｓを真空化するために、図６に示す封入装置を用いる。封入装置３０は、水平方向に沿う回転軸ＲＪの周囲に同心状形成されたスポンジ製の押圧体ＲＳを備えるローラーＲを複数備えている。複数のローラーＲは、上下方向で同じ位置に回転軸ＲＪが平行に並ぶ状態で一対並ぶように配置され、かつ、上下方向に沿ってそれら一対のローラーが複数並ぶように配置されている。
【００３３】
投入準備として、最上端の一対のローラーＲの間に包装材１０の一旦側の接着部ＰＨを挟む（以降、この操作を、封入装置３０に包装材１０をセットするという）。その後、図６の左端の図に示すように、服用物Ｔを包装材１０の開口から１個ずつ投入しながらローラーＲを矢印の方向に回転させて包装材１０を下方に移動させる。なお、ローラーＲは手動で回転させてもよいし、モーター等の駆動機構の駆動力を用いて自動で回転させてもよい。包装材１０の開口ＰＫから包装材１０の内部に投入された服用物Ｔは、押圧体ＲＳによって水平方向の両側から押さえつけられて、包装材１０の長手方向に互いに離間した状態で包装材１０の内部（すなわち収容空間Ｓの内部）での位置が保持される。複数の服用物Ｔのうち最後の服用物Ｔの投入が終わると、図６の左から３番目の図に示すように、圧着用ヒータ４０Ｈと真空吸引部４１とを備えた一対の封止用部材４０を包装材１０の上端の開口に取り付け、収容空間Ｓの内部の空気を吸引する（以降、収容空間Ｓの内部の空気を吸引することを「脱気する」と称する）。次に、図６の右端の図に示すように、一対の封止用部材４０を互いに接近させて圧着用ヒータ４０Ｈを加熱することにより、開口ＰＫをヒートシールして接着部ＰＨを形成する。
【００３４】
〔第２実施形態〕
次に、第２実施形態の服用物包装体Ｐを説明するが、第２実施形態は第１実施形態において包装材１０へ服用物を封入する方法が異なるのみであるので、以下に、第１実施形態と異なる部分のみを説明する。
第２実施形態では、服用物Ｔとして同種のものが複数存在する場合、同種の複数の服用物Ｔが同一の収容室Ｃに収容される形態である。このように収容するに当たっては、封入装置３０に包装材１０をセットした後、同種の服用物Ｔが複数存在する場合には当該同種の複数の服用物Ｔを包装材１０の開口ＰＫからまとめて投入する。これにより、図７及び図８に示すように、同種の複数の服用物Ｔが同一の収容室Ｃに収容される。
【００３５】
〔第３実施形態〕
次に第３実施形態の服用物包装体Ｐを説明する。
第３実施形態は、図９に示すように、シート状に形成された包装材１１０を用い、服用物Ｔを、十字状に区切られた収容室Ｃに収容する形態である。
包装材１１０は、内部に収容する服用物Ｔを外部から視認可能とすべく、透明又は半透明のプラスチックシートで構成される。また、包装材１１０は、矩形状の下側包装材１１０Ｄと、下側包装材１１０Ｄと同じ大きさ位に形成された上側包装材１１０Ｕとを重ねて、夫々の平面視での外周部を接着して、単一の収容空間Ｓを有する袋状に形成される。また、下側包装材１１０Ｄと上側包装材１１０Ｕとを弱く溶融接着する接着部分１１０Ｓが十字状に形成されている。したがって、単一の収容空間Ｓにおいて接着部分１１０Ｓにより区分された４つの区画が収容室Ｃとなり、夫々の収容室Ｃについて同種の服用物Ｔが収容される形態で複数種別且つ複数個の服用物Ｔが収容される。
【００３６】
また、下側包装材１１０Ｄと上側包装材１１０Ｕの夫々には、平面視で中央部分に、接着後において互いに離間する方向に突出するツマミ部１１２及び１１１が形成されている。
服用者は、服用物Ｔを取り出す場合には、ツマミ部１１２とツマミ部１１１とを互いに離間する向きに引っ張ることにより、接着部分１１０Ｓが剥離され、複数の収容室Ｃの間で服用物Ｔが移動可能となる。その後、図９の点線Ｑに示すように包装材１１０の外周部の接着部分の一部を除去することにより、服用物包装体Ｐに収容されていた複数個の服用物Ｔを取り出すことができる。なお、第３実施形態においては、収容空間Ｓの内部を脱気する必要はないが、収容空間Ｓの内部を脱気してもよい。
【００３７】
〔第４実施形態〕
第４実施形態は、服用物包装体Ｐ、及び、服用物包装体Ｐに服用物Ｔ３を封入する方法の別の形態である。第４実施形態では、服用物包装体Ｐに服用物Ｔを封入するにあたり、図１０に示すように、プラスチックフィルム等の包装材２１０を、折返頂部２１０Ｒが長手方向に沿う状態で２つに折り、折返頂部２１０Ｒを底部として形成される袋状の空間に服用物Ｔを投入する。包装材２１０は、長手方向の一端が接着されて接着部ＰＨ１が設けられるとともに、長手方向に直交する方向で折返頂部２１０Ｒの非存在側の端部２１０Ｐは接着されず開放されている。
【００３８】
服用物包装体Ｐに服用物Ｔを互いに離間した状態で封入し、且つ、収容空間Ｓを脱気するために、図１０に示す封入装置５０を用いる。封入装置５０は、単一の服用物包装体Ｐに封入する複数の服用物Ｔをまとめて保持可能で、かつ、各収容室Ｃに対応して、その収容室Ｃの夫々に封入する服用物Ｔを予め保持させておくことが可能な保持投入補助体５１と、保持投入補助体５１が保持していた服用物Ｔを服用物包装体Ｐの複数の収容室Ｃの夫々に案内する複数の案内ノズル５３Ｎを備えた案内補助体５３と、上方が開口したＵ字状に形成された仕切部形成補助機構としての複数の挟持ピン５４と、を備えている。
【００３９】
保持投入補助体５１は、図１０に示すように、収容室Ｃの夫々に対応して仕切られた服用物保持用区画５１Ｓを複数備えている。また、服用物保持用区画５１Ｓの底部は開閉自在な扉体５２が設けられている。扉体５２を閉状態とすることで、服用物保持用区画５１Ｓに投入された服用物Ｔが当該区画内に保持され、扉体５２を開状態とすることで、服用物保持用区画５１Ｓに投入された服用物Ｔが下方に落下するようになっている。なお、複数の服用物保持用区画５１Ｓに対して扉体５２を各別に設けてもよいし、複数の服用物保持用区画５１Ｓに対して単一の扉体５２を設けるようにしてもよい。また、複数の服用物保持用区画５１Ｓに対して扉体５２を各別に設ける場合、服用物保持用区画５１Ｓ毎に扉体５２を開状態とするか閉状態とするかを各別に切換えられるように構成してもよいし、複数の服用物保持用区画５１Ｓについて扉体５２の開状態と閉状態とを同期させるように構成してもよい。
【００４０】
作業者は、服用物Ｔの封入に先立って、複数の挟持ピン５４の夫々に、包装材２１０を、折返頂部２１０Ｒが下方となる状態で挟み込んで支持させる。続いて、包装材２１０における隣接する挟持ピン５４の間において平面視で挟持ピン５４の並び方向と直交する横幅方向に並ぶ一対の端部２１０Ｐの夫々を上記横幅方向に互いに離間させる。これにより、包装材２１０には、隣接する挟持ピン５４の間において、下方に折返頂部２１０Ｒによる底部が形成され、長手方向の両端部に挟持ピン５４に挟まれることによる狭幅部が形成された袋状の収容室Ｃ相当部分が形成される。
続いて、収容室Ｃ相当部分の夫々の上方に案内補助体５３の案内ノズル５３Ｎの下端部を位置させる。このとき、案内ノズル５３Ｎの下端の平面視での存在領域が収容室Ｃ相当部分の上端の存在領域よりも小さければ、高さ方向で案内ノズル５３Ｎの下端を包装材２１０の端部２１０Ｐよりも下方に位置させて、案内ノズル５３Ｎを収容室Ｃ相当部分に突入させた状態にすることが好ましい。案内ノズル５３Ｎの下端を包装材２１０の端部２１０Ｐよりも下方に位置させる場合、案内ノズル５３Ｎも仕切部形成補助機構を構成することになる。
【００４１】
作業者は、保持投入補助体５１の扉体５２を閉状態とし、個別包装体Ｂから取り出した服用物Ｔを、保持投入補助体５１の服用物保持用区画５１Ｓの夫々に処方箋にて指定された並びで種別ごとに保持させる。
続いて、保持投入補助体５１の扉体５２を開状態とすることで、服用物保持用区画５１Ｓに保持させていた服用物Ｔが落下する。これにより、服用物Ｔが案内補助体５３の案内ノズル５３Ｎを介して包装材２１０における収容室Ｃ相当部分に保持される。なお、扉体５２を開状態又は閉状態とする操作は、駆動機構を用いて行っても手動で行ってもよい。
【００４２】
続いて、図１１（ａ）に示すように、包装材２１０の端部２１０Ｐを長手方向に連続する形態で接着して接着部ＰＨ２を形成し、最後に、包装材２１０において開口している端部、すなわち、長手方向で接着部ＰＨ１と逆側の端部から脱気する。そして、図１１（ｂ）に示すように、接着部ＰＨ１と逆側の端部を接着して接着部ＰＨ３を形成する。
このようにして、図１１（ｂ）に示すような服用物包装体Ｐが形成される。
本実施形態においても、第１又は第２実施形態と同様に、包装材２１０が、収容空間Ｓの内圧を大気圧よりも低い圧力に維持して当該包装材２１０が封止されることにより規制状態となり、包装材２１０が開封されることにより規制解除状態となるように構成されている。また、本実施形態においては、包装材２１０が変形可能に構成され、変形している包装材２１０において服用物Ｔと包装材２１０とが当接する部分が固定部に相当する。つまり、単一の収容空間Ｓが、収容空間Ｓに収容する服用物Ｔの位置を固定する固定部を備えている。
【００４３】
すなわち、服用物包装体Ｐは、複数の固形状の服用物Ｔを封入する単一の収容空間Ｓを形成する包装材２１０を有し、包装材２１０が、内部に収容する服用物Ｔを外部から視認可能に構成され、単一の収容空間Ｓを複数の収容室Ｃに仕切る仕切部（包装材２１０における部分ＰＳ）を備えている。また、複数の収容室Ｃが直線状に並び、複数の収容室Ｃの夫々には単一種別の服用物Ｔが収容される。
【００４４】
〔第５実施形態〕
第５実施形態は、服用物包装体Ｐ、及び、服用物包装体Ｐに服用物Ｔを封入する作業のさらに別の形態である。第５実施形態では、服用物包装体Ｐに服用物Ｔを互いに離間した状態で封入し、且つ、収容空間Ｓを脱気するために、図１２に示す封入装置６０を用いて、包装材３１０としての下側包装材３１０Ｄと上側包装材３１０Ｕとの間に服用物Ｔを挟み込んで封入する。
【００４５】
封入装置６０は、図１２に示すように、下方側に位置する仕切部形成補助機構としての吸引枠体６１と、上方側に位置する接着補助枠体６２とを備えている。
吸引枠体６１は、複数の収容室Ｃの夫々に対応し下方に向って凹入する複数の凹部６１Ｃと、複数の凹部６１Ｃの夫々に連通する管部６１Ｈとを備えて構成されている。管部６１Ｈにおける凹部６１Ｃと逆側の端部には、吸気用ポンプが接続されており、吸気用ポンプの作動によって管部６１Ｈ内を負圧にすることができる。
【００４６】
作業者は、服用物Ｔの投入に先立って、吸引枠体６１の上に下側包装材３１０Ｄを載置し、吸気用ポンプを作動させることによって下側包装材３１０Ｄは吸引され、凹部６１Ｃに沿った形状となる。
続いて、作業者は、個別包装体Ｂから取り出した服用物Ｔを、下側包装材３１０Ｄにおいて凹部６１Ｃに沿って形成された複数の収容室Ｃ相当部分に、処方箋にて指定された並びで種別ごとに保持させる。
【００４７】
その後、下側包装材３１０Ｄの上部に上側包装材３１０Ｕを被せ、接着補助枠体６２を上部に載置する。接着補助枠体６２は、平面視において、複数の凹部６１Ｃの存在領域を包含する単一の収容空間形成領域を包囲するように熱圧着可能なシール機構を備えている。また、下側包装材３１０Ｄと上側包装材３１０Ｕとを熱圧着する場合において、下側包装材３１０Ｄと上側包装材３１０Ｕとの間の空気を脱気する脱気機構が設けられている。そして、下側包装材３１０Ｄと上側包装材３１０Ｕとの間の空気を脱気した状態で、複数の熱圧着可能なシール機構によって下側包装材３１０Ｄと上側包装材３１０Ｕの周縁部を接着することによって接着部ＰＨ４〜ＰＨ６を形成することができる。
本実施形態においても、第１又は第２実施形態と同様に、包装材３１０が、収容空間Ｓの内圧を大気圧よりも低い圧力に維持して当該包装材３１０が封止されることにより規制状態となり、包装材３１０が開封されることにより規制解除状態となるように構成されている。本実施形態においては、包装材３１０が変形可能に構成され、変形している包装材３１０において服用物Ｔと包装材３１０とが当接する部分が固定部に相当する。つまり、単一の収容空間Ｓが、収容空間Ｓに収容する服用物Ｔの位置を固定する固定部を備えている。
【００４８】
すなわち、服用物包装体Ｐは、複数の固形状の服用物Ｔを封入する単一の収容空間Ｓを形成する包装材３１０を有し、包装材３１０が、内部に収容する服用物Ｔを外部から視認可能に構成され、単一の収容空間Ｓを複数の収容室Ｃに仕切る仕切部（包装材３１０における部分ＰＳ）を備えている。また、複数の収容室Ｃが直線状に並び、複数の収容室Ｃの夫々には単一種別の服用物Ｔが収容される。
【００４９】
〔服用物包装体における情報の表示〕
一包化された服用物包装体Ｐにおいては、収容された服用物の属性を示す情報を作業者や服用者が目視できるように表示したり、服用物包装体Ｐに対して処理を行う装置がその服用物包装体Ｐを個別に識別可能な情報を表示しておくことによって、服用物包装体Ｐの取り違えを防止したり、作業者や服用者の利便性の向上を図ることができる。属性を示す情報としては、例えば、服用者の氏名、服用タイミング、収容されている服用物Ｔの名称、収容されている服用物Ｔの服用期限、又は、服用物包装体Ｐを各別に識別するための識別情報等がある。服用物包装体Ｐの識別情報としては、例えば、シリアル番号、バーコード、又は二次元コードなどが考えられる。
【００５０】
具体的には、例えば図１４や図１５に示すように、服用物包装体Ｐに属性情報を表示する表示領域Ｈを設け、その表示領域Ｈに印字又は貼付等によって属性情報を表示させることが考えられる。図１４には、服用物包装体Ｐの長手方向に直交する方向についての端部に接着部ＰＨが形成される場合においてその接着部ＰＨに表示領域Ｈを形成した場合を示している。また、図１５には、服用物包装体Ｐの長手方向の両端に接着部ＰＨが形成される場合において当該接着部ＰＨに表示領域Ｈを形成した場合を示している。なお、収容される服用物Ｔの外部からの視認性を考慮すると、表示領域Ｈは、包装材における接着部ＰＨに設けられることが好ましいが、表示領域Ｈを接着部ＰＨ以外の部分に設けるようにしてもよい。
【００５１】
〔別実施形態〕
（１）上記第１、第２、第４、及び第５実施形態では、筒状の包装材１０が服用物Ｔの外表面のほぼ全部において当接する形態を示したが、このような構成に限定されるものではなく、包装材１０が服用物Ｔの外表面の一部（例えば外表面の面積の半分以下）において当接するものであってもよい。
【００５２】
（２）上記第１〜第５実施形態では、包装材をプラスチック等の樹脂で構成する例を示したが、包装材の材質は上記に限らず、例えばパラフィン紙としてもよく、その素材は任意である。
【００５３】
（３）上記第１〜第５実施形態では、包装材１０における服用物Ｔと接触する部分を固定部とする形態を説明したが、このような構成に限定されるものではなく、包装材１０に服用物Ｔに当接する当接部を予め形成し、この当接部を固定部とする形態でもよい。
【００５４】
（４）上記第１、第２、第４、及び第５実施形態では、包装材１０同士（図２における部分ＰＳ１と部分ＰＳ２）が接する部分ＰＳを仕切部とする例を示したが、このような構成に限定されるものではなく、包装材１０において仕切部を予め形成しておく形態でもよい。この場合、服用物Ｔは、隣接する仕切部の間に形成される空間を収容室Ｃとして、その収容室Ｃの内部に投入する。
【００５５】
（５）上記第３実施形態では、収容室Ｃを４つ形成する例を示したが、収容室Ｃを周方向に２つ以上横並びに並べて形成としたり、収容室Ｃを周方向に並べて形成したり、又は３×３以上の数のマトリクス状に形成してもよく、収容室Ｃの配置は任意である。また、第３実施形態では、接着部分１１０Ｓを、下側包装材１１０Ｄと上側包装材１１０Ｕとを溶融接着することで形成する例を示したが、例えば下側包装材１１０Ｄと上側包装材１１０Ｕとの一方に凹入部を形成し、他方に突出部を形成して、凹入部と突出部とを嵌合させることで接着部分１１０Ｓを形成してもよく、ツマミ部１１１とツマミ部１１２とを互いに離間する向きに引っ張ったときに、下側包装材１１０Ｄと上側包装材１１０Ｕとの接着が解除されるものであれば接着部分１１０Ｓの形成方法は任意である。
【符号の説明】
【００５６】
１０、１１０、２１０、３１０      包装材
Ｃ        収容室
Ｐ        服用物包装体
ＰＳ      部分（仕切部）
Ｓ        収容空間
Ｔ        服用物
【図１】
0006314868.tif 000002
【図２】
0006314868.tif 000003
【図３】
0006314868.tif 000004
【図４】
0006314868.tif 000005
【図５】
0006314868.tif 000006
【図６】
0006314868.tif 000007
【図７】
0006314868.tif 000008
【図８】
0006314868.tif 000009
【図９】
0006314868.tif 000010
【図１０】
0006314868.tif 000011
【図１１】
0006314868.tif 000012
【図１２】
0006314868.tif 000013
【図１３】
0006314868.tif 000014
【図１４】
0006314868.tif 000015
【図１５】
0006314868.tif 000016
【図１６】
0006314868.tif 000017
【図１７】
0006314868.tif 000018